(57)【特許請求の範囲】
【請求項１】
他の電話装置との通信を行う本体部と、使用者の骨伝導音声を検出する骨伝導マイク及びスピーカを筐体に備えて、前記本体部に対して無線通信により音声信号の授受を行う通話器とが設けられた電話装置であって、
前記通話器に設けられ、前記本体部に対して通話の開始を指示するための通話指令スイッチと、
前記本体部に設けられ、前記通話指令スイッチからの指令を受信するに伴って、番号入力可能となる電話番号入力用キーボードとを備え、さらに、
前記スピーカから離間した位置に前記筐体の側面から突出した状態で設けられ、前記骨伝導マイクを収納するハウジングと、
当該ハウジングの位置を検出する検出スイッチと、
当該検出スイッチに接続されるとともに前記骨伝導マイクに接続される検出回路とを備え、
前記スピーカが前記使用者の耳に当てられた状態で前記ハウジングが前記使用者の顔面から離間している場合には、前記ハウジングが前記通話器の筐体に当接した状態を維持し、
前記スピーカが前記使用者の耳に当てられた状態で前記ハウジングが前記使用者の顔面に押し当てられた場合には、前記ハウジングが前記通話器の筐体から離間し、
前記検出回路は、前記検出スイッチによって検出された前記ハウジングの位置に応じて、前記骨伝導マイクによって検出された音声を異なった増幅率で増幅する電話装置。
【請求項２】
前記筐体に固定され、前記ハウジングを前記筐体に押圧した状態で保持する粘弾性部材とを、さらに備え、
当該粘弾性部材は、前記ハウジングを前記筐体の外方側へ復帰付勢するとともに、前記筐体から前記ハウジングに伝わる機械的振動を吸収することを特徴とする請求項１記載の電話装置。
【請求項３】
前記本体部が、携帯式の無線電話装置にて構成されている請求項１又は２記載の電話装置。
【請求項４】
前記本体部が、据え置き型の電話装置にて構成されている請求項１又は２記載の電話装置。
【請求項５】
前記通話器が、前記本体部に着脱自在に構成されている請求項４記載の電話装置。
【請求項６】
前記通話器に、二次電池と、その二次電池に対する充電用電極端子とが備えられ、前記本体部に、前記通話器が装着されたときに、前記充電用電極端子と接触する電力供給用電極端子が備えられている請求項５記載の電話装置。
【発明の詳細な説明】
【０００１】
【発明の属する技術分野】
本発明は、他の電話装置との通信を行う本体部と、マイク及びスピーカを備えて、前記本体部に対して無線通信により音声信号の授受を行う通話器とが設けられた電話装置に関する。
【０００２】
【従来の技術】
かかる電話装置は、装置の使用者が通話器に備えられているマイク及びスピーカを利用して、他の電話装置を使用する通話の相手方と会話を行う。
この場合において、当該他の電話装置と通信を行う本体部と、通話器とは無線通信により音声信号の授受を行うので、装置の使用者は、本体部に対して自由な位置及び姿勢で通話の相手方との会話を行える。
かかる電話装置においては、従来、通話器側に、通話の相手方の電話番号を電話回線側に対して入力するための電話番号入力用キーボードを備えて、通話器から通話の相手方に電話をかける操作を可能にしていた。
【０００３】
【発明が解決しようとする課題】
従って、上記従来構成では、電話番号入力用キーボードの存在のための通話器が大型化してしまい、使用者にとって取扱い辛いものとなってしまう不都合があった。
本発明は、上記実情に鑑みてなされたものであって、その目的は、取扱い易い電話装置を提供する点にある。
【０００４】
【課題を解決するための手段】
上記請求項１記載の構成を備えることにより、他の電話装置との通信を行う本体部に、通話の相手方の電話番号を入力するための電話番号入力用キーボードが備えられ、電話装置の使用者は、通話器の通話指令スイッチを操作することにより、その電話番号入力用キーボードを電話回線側に対して番号入力可能な状態として電話をかける。
従って、通話器に電話番号入力用キーボードを備える必要がなく、通話器の小型化を図ることができ、もって、取扱い易い電話装置を提供できるに至った。
【０００５】
又、上記請求項２記載の構成を備えることにより、通話器に備えられるマイクは、声帯から発せらて人の頭部の骨を伝わる骨伝導音声を圧電素子にて検出する骨伝導マイクにて構成され、周囲の騒音を除外して人の発する音声を的確に検出できると共に、いわゆるコンデンサマイク等を使用した場合に比較して通話器の一層の小型化を図ることができる。
又、上記請求項３記載の構成を備えることにより、本体部は携帯式の無線電話装置であり、通話器のマイク及びスピーカを利用した通話の相手方との会話は、その携帯式の無線電話装置と基地局等との無線信号の送受信により授受される。この携帯式の無線電話装置は、通常の据え置き型の電話装置に較べて小型化されてはいるが、使用する場所や使用者の姿勢等が種々となる状況下で使用されるものとしては、電話番号入力用キーボードを備える等により、小型化が十分ではない。
このような場合において、相手方との通話時に使用する通話器を上述のように小型化できることが極めて有利となる。
【０００６】
又、上記請求項４記載の構成を備えることにより、本体部は据え置き型の電話装置であり、通話器のマイク及びスピーカを利用した通話の相手方との会話は、その据え置き型の電話装置により電話回線等を通して授受される。
本体部がこのような据え置き型の電話装置である場合に、上述のように通話器を小型化できることで、使用者が本体部の設置位置にそれほど依存せず自由な位置及び姿勢で通話を行うことができ、しかも、その自由な位置及び姿勢をとり易いものとでき、電話装置を一層便利なものとできる。
又、上記請求項５記載の構成を備えることにより、本体部を据え置き型の電話装置とするものにおいて、本体部に通話器を着脱できる。
従って、小型の通話器の基本的な保管場所を本体部に設定することができるので、通話器が小型化しても紛失する可能性を可及的に低減でき、もって電話装置を一層便利なものとできる。
【０００７】
又、上記請求項６記載の構成を備えることにより、本体部を据え置き型の電話装置とするものにおいて、通話器を本体部に装着すると、本体部側の電力供給用電極端子が通話器側の充電用電極端子と接触して、本体部側から通話器の二次電池に対して充電される。つまり、通話器において必要となる電力を通話器を使用していないときに供給しておくことができ、通話器の二次電池に対して別途充電操作をする必要がないか、あるいは、別途充電するにしてもその頻度を可及的に低減でき、もって、電話装置の維持管理に要する手間を低減できる。
【０００８】
【発明の実施の形態】
〔第１実施形態〕
本発明の電話装置の実施の形態を図面に基づいて説明する。
電話装置ＰＳは、図１及び図２に示すように、据え置き型の電話装置にて構成されて、電話回線を通じて他の電話装置と通信を行う本体部ＭＵと、その本体部ＭＵに対して無線通信により音声信号の授受を行う通話器ＳＵとを備えて構成されている。
本体部ＭＵには、図１及び図３に示すように、通話器ＳＵと無線通信するための本体側アンテナ１及び送受信回路２、送受信回路２等を介して通話器ＳＵとの間で音声信号の授受を行うと共に、公衆電話回線や構内電話回線等の電話回線に接続するためのコネクタ３を介して通話の相手方の電話装置と音声信号の授受を行う制御・駆動回路４、通話スイッチ５ａ，切断スイッチ５ｂ及び電話番号入力用キーボード５ｃを備えたキー操作部５、並びに、通話器ＳＵに対して充電するための電力供給用電極端子６が備えられている。
【０００９】
通話器ＳＵには、図２及び図３に示すように、本体部ＭＵと無線通信するための通話器側アンテナ７及び送受信回路８、送受信回路８等を介して本体部ＭＵとの間で音声信号の授受を行う制御・駆動回路９、通話スイッチ１０ａ及び切断スイッチ１０ｂ、通話の相手方から電話がかかってきたことを報知するための着信表示ランプ１１、通話の相手方の音声を放音するスピーカ１２、電話装置ＰＳの使用者の音声を検出するマイク部１３、本体部ＭＵ側の電力供給用電極端子６と接触して本体部ＭＵ側から充電用電力の供給を受けるための充電用電極端子１４、並びに、二次電池１５が備えられている。
【００１０】
図２（イ）及び（ロ）に示すように、通話器ＳＵの外形形状は略円筒状で、それの長手方向一端側にスピーカ１２が取り付けられ、他端側に通話器側アンテナ７が取り付けられている。そして、スピーカ１２の存在側の端部寄りに、通話スイッチ１０ａ，切断スイッチ１０ｂ及び上記マイク部１３の一部を構成するマイク１６が取り付けられ、通話器側アンテナ７の存在側寄りに充電用電極端子１４が取り付けられている。
通話器ＳＵにおけるスピーカ１２とマイク１６との位置関係は、スピーカ１２を耳に当てたときに、マイク１６が耳近くの顔面に接触可能となる間隔で配置されている。
尚、通話器ＳＵは、本体部ＭＵの通話器支持部２８に対して着脱自在であり、通話器支持部２８は、通話器ＳＵの外形形状に適合した形状に形成されている。通話器支持部２８には、図示を省略するが、通話器ＳＵを保持している状態で通話器ＳＵの充電用電極端子１４と接触する位置に電力供給用電極端子６が配置されている。
【００１１】
通話器ＳＵの筐体表面に露出する状態で取り付けられているマイク１６のハウジング１６ａ内には、図４に示すように、略棒状の圧電素子１７と、その圧電素子１７の長手方向一端側を半田付けによって強固に保持する回路基板１８と、その回路基板１８に備えられて、圧電素子１７の検出信号が入力されて主にインピーダンス変換を行うＦＥＴ１９及びコンデンサ等のその他回路部品と、ハウジング１６ａの内壁に固着され、回路基板１８を固定支持するシールドケース２０とが備えられている。
圧電素子１７は、金属板を二つの圧電セラミック素子でサンドイッチ状に挟んで張り合わせたいわゆるバイモルフ型のものを使用して、検出感度の向上等を図っている。尚、シールドケース２０は、回路基板１８全体を覆い、電磁的にシールドするものであり、圧電素子１７の検出信号のＳ／Ｎ比の向上に寄与するものである。又、ハウジング１６は、圧電素子１７等に対する保護ケースとしても機能している。
【００１２】
圧電素子１７の検出信号は、図５に示すように、ＦＥＴ１９等を経た後、図示しない電気配線によってマイク部１３の一部を構成する検出回路２１に入力され、検出回路２１にて信号増幅等された後に制御・駆動回路９へ出力される。
検出回路２１には、増幅率の異なる二つの増幅回路２２ａ，２２ｂと、後述する検出スイッチ２３の入り切りの状態に応じて二つの増幅回路２２ａ，２２ｂ夫々の出力のうちの何れか一方を選択して出力する切換回路２４と、過大な入力信号を設定範囲内の信号レベルに抑制する出力抑制回路２５とが備えられている。
【００１３】
次に、マイク１６のハウジング１６ａを通話器ＳＵの筐体に保持させる構成について説明する。
ハウジング１６ａは、図２及び図４に示すように、それの表面が筐体に形成された開口から突出し、且つ、筐体に対して固定されているベース板２６と粘弾性部材２７とによって、ハウジング１６ａのフランジ部１６ｂが、筐体の内壁に押圧される状態で保持されている。尚、粘弾性部材２７は、ゴム材や塩化ビニル等の粘弾性を有する部材であり、ハウジング１６ａを筐体外方側へ復帰付勢すると共に、ハウジング１６ａに伝わる機械的振動を吸収する。
ハウジング１６ａが筐体の内壁と当接する位置に位置しているときにはハウジング２と筐体との間で機械的振動を伝達する状態となり、外部からの押圧力により筐体内方側へ変位してハウジング１６ａが筐体から離間する位置に位置しているときに、ハウジング１６ａと筐体との間で機械的振動が伝達されるのを抑制する状態となる。
【００１４】
粘弾性部材２７を支持するベース板２６には、粘弾性部材２７に隣接する状態で、ハウジング１６ａが筐体と当接する位置に位置しているか、あるいは、筐体から離間する位置に位置しているかを検出する検出スイッチ２３が設けられている。検出スイッチ２３には、突出側に復帰付勢された被操作片２３ａが備えられ、この被操作片２３ａの出退方向がハウジング１６ａの変位方向と一致するように、検出スイッチ２３が配置されている。
ハウジング１６ａが筐体の内壁から筐体内方側へ離間する位置に変位するに伴って、ハウジング１６ａの底面側が被操作片２３ａを押し操作し引退側に移動させる。この被操作片２３ａの引退側への移動によって検出スイッチ２３の入り切りが変化する。
【００１５】
次に、電話装置ＰＳの動作を、使用者の操作と関係付けて説明する。
先ず、通話の相手方から電話がかかってきた場合を説明する。
コネクタ３を介して電話回線から呼び出し信号を受信すると、制御・駆動回路４は、本体側アンテナ１及び送受信回路２から、この呼び出し信号を送信させる。
通話器ＳＵ側では、通話器側アンテナ７及び送受信回路８がこの呼び出し信号を受信すると、制御・駆動回路９は、呼び出し信号を着信表示ランプ１１及びスピーカ１２に送り、呼び出し音を鳴らせると共に着信表示ランプ１１を点滅させる。
使用者は、呼び出し音あるいは着信表示ランプ１１の点滅によって電話がかかてきたことを認識すると、通話器ＳＵを手にもって、通話スイッチ１０ａを押し操作する。
この操作によって、通話器ＳＵの制御・駆動回路９は、通話スイッチ１０ａが押し操作された旨の信号を通話器側アンテナ７及び送受信回路８から送信させる。
本体部ＭＵは、この信号を受信すると、制御・駆動回路４が、電話回線側との所定の通信により通話可能な状態に移行させ、本体部ＭＵと通話器ＳＵとの間で、送受信回路２，８、本体側アンテナ１及び通話器側アンテナ７を介して、通話の相手方の音声信号と使用者の音声信号が授受される状態とする。
尚、本体部ＭＵの通話スイッチ５ａが押し操作されたときも、上記と同様にして相手方との通話が可能となる。
【００１６】
このとき、使用者は、スピーカ１２を耳に当て、通話器ＳＵのマイク１６を、耳近くの顔面に押し当てる。この操作により生じる押圧力によってハウジング１６ａが筐体内方側へ変位する。
これによって、ハウジング１６ａが筐体から離間し、筐体の機械的振動がハウジングに伝わるのが抑制され、使用者の耳近くへの骨伝導音声によってハウジング１６ａ並びに圧電素子１７が振動して、骨伝導音声を的確に検出できるので、周囲の騒音の影響の少ない良好な会話を行える。従って、マイク１６は骨伝導マイクとして機能する。
又、ハウジング１６ａの筐体内方側への変位によって検出スイッチ２３の被操作片２３ａが押し操作されると検出スイッチ２３の入り切りが変化して、この入り切りの変化が検出回路２１の切換回路８に入力される。
切換回路８は、二つの増幅回路２２ａ，２２ｂのうちの一方の増幅回路２２ａの出力を選択して出力抑制回路２５に出力し、その出力抑制回路２５の出力信号は、制御・駆動回路９から本体部ＭＵを経て通話の相手方に送信される。尚、増幅回路２２ａの増幅率は、骨伝導音声の検出に適した値に設定されている。
【００１７】
一方、使用者の発する音声のみならず周囲の音声をも積極的に通話の相手方に伝えたい場合、あるいは、周囲の騒音が十分に小さい場合は、通話器ＳＵのスピーカ１２を耳に当て且つハウジング１６ａが顔面に当たらないようにして会話を行う。このようにすることで、ハウジング１６ａは筐体の内壁の当接する状態を維持し、使用者の音声を含む周囲の音声が空気により伝導されて通話器ＳＵの筐体を振動させると、その振動がハウジング１６ａに伝わる。つまり、ハウジング１６ａは、使用者の音声等によって直接的に振動するのみならず、筐体から伝えられる機械的振動によっても振動し、両者が圧電素子１７の振動に寄与する。従って、筐体全体が音声の検出に寄与することになる。
【００１８】
ハウジング１６ａが筐体の内壁と当接している状態では、検出スイッチ２３の被操作片２３ａは、突出側に位置しており、切換回路８は、この検出状態にあるときに、二つの増幅回路２２ａ，２２ｂのうちの増幅回路２２ｂの出力を選択して出力抑制回路２５に出力し、その出力抑制回路２５の出力信号は、制御・駆動回路９から本体部ＭＵを経て通話の相手方に送信される。尚、増幅回路２２ｂの増幅率は、上記のように空気により伝導される音声の検出に適した値に設定されており、他方の増幅回路２２ａの設定増幅率との大小関係は、通話器ＳＵの筐体の大きさ等との関係で変化することになる。
【００１９】
上述のような使用形態での通話が終了すると、使用者は、通話器ＳＵの切断スイッチ１０ｂを押し操作する。
通話器ＳＵの制御・駆動回路９は、切断スイッチ１０ｂが押し操作されると、切断スイッチ１０ｂが押し操作された旨の信号を通話器側アンテナ７及び送受信回路８から送信させる。
本体部ＭＵは、この信号を受信して、制御・駆動回路４が、電話回線側との通信を切断する。尚、本体部ＭＵの切断スイッチ５ｂが押し操作されたときも上記と同様にして通信が切断される。
【００２０】
次に、電話装置ＰＳの使用者から通話の相手方へ電話をかける場合について説明する。
この場合は、使用者は、本体部ＭＵの通話スイッチ５ａを押し操作した後、通話の相手方に対応する電話番号を電話番号入力用キーボード５ｃにて押し操作するか、あるいは、通話の相手方に対応する電話番号を電話番号入力用キーボード５ｃにて押し操作した後、通話スイッチ５ａを押し操作する。
制御・駆動回路４は、通話スイッチ５ａが押し操作されるに伴って、電話番号入力用キーボード５ｃにて押し操作された電話番号を電話回線側に対して入力可能な状態としている。尚、電話番号入力用キーボード５ｃ又は制御・駆動回路４には、電話番号入力用キーボード５ｃにて押し操作された電話番号を一時的に記憶するバッファメモリが備えられている。
このように電話回線側に対して電話番号が入力された後、通話の相手方が受話器をとると、両者の間で会話が可能な状態となる。
この通話時における通話器ＳＵの使用形態は、上述の電話がかかってきた場合と同様である。
【００２１】
又、通話の相手方に電話をかける操作としては、通話器ＳＵの通話スイッチ１０ａを押し操作しても良い。通話スイッチ１０ａが押し操作されると、制御・駆動回路９が、通話スイッチ１０ａが押し操作された旨の信号を、通話器側アンテナ７及び送受信回路８から送信させる。
本体部ＭＵの制御・駆動回路４が、本体側アンテナ１及び送受信回路２を介して、この信号を受け取ると、制御・駆動回路４は、上述の通話スイッチ５ａが押し操作されたときと全く同様の処理を行い、電話回線側に対して電話番号を入力可能とする。
従って、通話器ＳＵの通話スイッチ１０ａは、本体部ＭＵに対して通話の開始を指示するための通話指令スイッチＣＳとして機能し、本体部では、この通話指令スイッチＣＳからの指令を受信するに伴って、電話番号入力用キーボード５ｃから指示される電話番号を電話回線側に対して入力可能とする。
使用者と通話の相手方との会話が終了し、本体部ＭＵの切断スイッチ５ｂ又は通話器ＳＵの切断スイッチ１０ｂが押し操作された場合には、上述の使用者側から電話をかける場合と同様にして電話回線側との通信が切断される。
【００２２】
〔第２実施形態〕
上記第１実施形態では、他の電話装置との通信を行う本体部ＭＵを据え置き方の電話装置として構成しているが、本第２実施形態では、図６に示すように、携帯式の無線電話装置にて構成する場合を示す。
本体部ＭＵを携帯式の無線電話装置とすることで、図６及び図７に示すように、本第２実施形態における本体部ＭＵは、上記第１実施形態における電力供給用電極端子６及び通話器支持部２８が備えられておらず、更に、上記第１実施形態におけるコネクタ３の代わりに基地局との通信を行うための主アンテナ３０及び主送受信回路３１が備えられている。
その他の構成部分で、上記第１実施形態と同一の機能を有するものは、上記第１実施形態と同一の符号を付している。
一方、通話器ＳＵは、上記第１実施形態における充電用電極端子１４を備えていない点で異なるのみで、外形形状も含めて上記第１実施形態の通話器ＳＵと共通する。
【００２３】
次に、電話装置ＰＳの動作を使用者の操作と関係付けて概略的に説明する。
先ず、通話の相手方から電話がかかってきた場合を説明する。
基地局等からの無線通信による呼び出し信号を主アンテナ３０及び主送受信回路３１にて受信すると、制御・駆動回路４は、本体側アンテナ１及び送受信回路２から、この呼び出し信号を送信させる。これに伴って、上記第１実施形態と同様に、通話器ＳＵ側で呼び出し音が鳴り、着信表示ランプ１１が点滅する。
使用者は、呼び出し音あるいは着信表示ランプ１１の点滅によって電話がかかてきたことを認識すると、通話器ＳＵを手にもって、通話スイッチ１０ａを押し操作する。
【００２４】
この操作によって、上記第１実施形態と同様に、電話回線側との所定の通信により通話可能な状態に移行され、本体部ＭＵと通話器ＳＵとの間で、送受信回路２，８、本体側アンテナ１及び通話器側アンテナ７を介して、通話の相手方の音声信号と使用者の音声信号が授受される状態となる。
従って、電話装置ＰＳの使用者は、例えば、本体部ＭＵを鞄の中に入れた状態であっても、小型の通話器ＳＵを服のポケット等に入れておけば、通話の相手方から電話がかかってきたときに、その都度本体部ＭＵを鞄から取り出すというような作業が不要となり、取扱いが便利なものとなる。
尚、本体部ＭＵが使用者の手もとにある等により、本体部ＭＵの通話スイッチ５ａが押し操作されたときも、上記と同様にして相手方との通話が可能となる。
【００２５】
通話時における通話器ＳＵの使用形態、及び、通話を終了した場合の処理、更には、電話装置ＰＳの使用者側から通話の相手方に電話をかける場合の動作等は上記第１実施形態と同様であり説明を省略する。
尚、本第２実施形態では、電話装置ＰＳの使用者は、通話器ＳＵを使用して相手方と会話するものとしているが、本体部ＭＵにスピーカ及びマイクロホンを備えて、本体部ＭＵ単体で通話を行えるようにしても良い。
【００２６】
〔第３実施形態〕
本第３実施形態は、上記第２実施形態と同様に本体部ＭＵが携帯式の無線電話装置にて構成される点で共通するが、上記第２実施形態における本体部ＭＵでは、基地局側と通信をするための機能と、通話器ＳＵ側と通信をするための機能とを単一の筐体に収納する構成としているのに対し、図８に概略的に示すように、通話器ＳＵと通信するための本体側アンテナ１及び送受信回路２を他の部分とは別体に構成し、通話器ＳＵと通信するための機能をアダプタ３２として、基地局等と通信する機能を有する部分を収納した筐体に対して着脱自在に構成している。
つまり、本体部ＭＵからアダプタ３２を取り外した状態で、通話器ＳＵとは無関係に本体部ＭＵのみにて通話を行える。このために、本体部ＭＵにも、スピーカ３３及びマイクロホン３４を備えさせている。
尚、アダプタ３２を取り付けた状態での各部の動作等は、上記第２実施形態と同様であるので説明を省略する。
【００２７】
〔その他の実施形態〕
以下、その他の実施形態を列記する。
▲１▼  上記各実施形態では、マイク１６を圧電素子１７を備えさせて構成しているが、通話器ＳＵに備えるマイクをいわゆるコンデンサマイクを用い、骨伝導音声を検出するのではなく、空気により伝導される音声のみを検出する構成としても良い。
▲２▼  上記実施の形態では、圧電素子１７を支持するハウジング１６ａと、そのハウジング１６ａを保持する通話器ＳＵ筐体とが、機械的振動を伝達する状態と伝達を抑制する状態とに切換え自在に構成されているが、常時何れか一方の状態にあるように、つまり、例えばハウジング１６ａを通話器ＳＵの筐体と一体形成する等して、常時筐体の機械的振動がハウジング１６ａに伝わるようにするか、あるいは、例えば筐体に取り付けた粘弾性部材にハウジング１６ａを支持させる等して、常時筐体の機械的振動がハウジングに伝わるのを抑制するようにしても良い。
【００２８】
▲３▼  上記実施の形態では、増幅率の異なる二つの増幅回路２２ａ，２２ｂを備え、通話器ＳＵの使用形態に応じて、何れの増幅回路の信号を出力するかを選択的に切換えるようにしているが、増幅率を設定変更可能な増幅回路を一つ備えて、検出スイッチ２３の出力信号に応じて増幅率を設定変更する等、設定増幅率を異ならせるための構成は種々変更可能である。
【図面の簡単な説明】
【図１】本発明の第１実施形態にかかる電話装置の外観斜視図
【図２】本発明の第１実施形態にかかる通話器の外観図
【図３】本発明の第１実施形態にかかるブロック構成図
【図４】本発明の第１実施形態にかかる要部断面図
【図５】本発明の第１実施形態にかかる要部ブロック構成図
【図６】本発明の第２実施形態にかかる本体部の外観図
【図７】本発明の第２実施形態にかかるブロック構成図
【図８】本発明の第３実施形態にかかる本体部のブロック構成図
【符号の説明】
５ｃ    電話番号入力用キーボード
６      電力供給用電極端子
１０ａ  通話指令スイッチ
１２    スピーカ
１４    充電用電極端子
１５    二次電池
１６    マイク
１７    圧電素子
ＭＵ    本体部
ＳＵ    通話器
【図１】
0003798533.tif 000002
【図２】
0003798533.tif 000003
【図３】
0003798533.tif 000004
【図４】
0003798533.tif 000005
【図５】
0003798533.tif 000006
【図６】
0003798533.tif 000007
【図７】
0003798533.tif 000008
【図８】
0003798533.tif 000009